(57)【特許請求の範囲】
【請求項１】
種々の利用設定や当該移動無線端末装置の状態に関する情報を表示手段に項目毎に表示し、ユーザがこの表示を視認して項目の選択を行うことにより、前記利用設定の変更や前記状態の確認を行う移動無線端末装置において、
ユーザが項目を選択した回数を前記項目毎に集計する集計手段と、
前記項目毎に優先順序の指定を行う優先指定手段と、
ユーザより前記項目の表示要求があった場合に、前記優先指定手段で指定された順序で項目を表示し、これに次いで前記優先指定手段で指定されていない項目を前記集計手段の集計結果に基づく順序で表示する表示制御手段とを具備することを特徴とする移動無線端末装置。
【請求項２】
前記表示制御手段は、前記優先指定手段で指定された項目が無い場合には、前記集計手段の集計結果に基づく順序で前記項目を表示することを特徴とする請求項１に記載の移動無線端末装置。
【発明の詳細な説明】
【０００１】
【発明の属する技術分野】
この発明は、表示部に種々の利用設定や自装置の状態に関する情報を項目毎に表示し、この表示より項目を選択し、利用設定の変更や自装置の状態確認を行う移動無線端末装置に関する。
【０００２】
【従来の技術】
周知のように、従来の移動無線端末装置では、アラーム機能や留守番電話機能といった種々の機能のＯＮ／ＯＦＦ設定、着信音量や着信メロディの設定など、種々の利用設定の変更、あるいはバッテリ残量などの自装置の状態の確認を行う場合、上述の利用設定や状態確認に予め対応づけられたメニュー番号をユーザがキー入力部より入力することにより、利用設定の変更や状態の確認要求を受け付けるようにしている。
【０００３】
しかしながら、このような従来の移動無線端末装置では、ユーザが予め、上記メニュー番号を記憶しておく必要があり、ユーザがメニュー番号を忘れると、その番号を探し当てるまでそのメニューが使用できないという問題があった。
【０００４】
また、上述のようなメニュー番号の直接入力による手法の他に、メニューキーなどを押下して端末の状態をメニューモードに設定し、マルチファンクションキーなどの方向性を持ったキーを連続的に押下することにより所望のメニューを検索して選択することにより、上述したような利用設定の変更や装置の状態確認を行う手法もある。
【０００５】
しかしながら、近時、携帯電話端末やＰＨＳ（Personal Handyphone System）端末等の移動無線端末装置では、多機能化が進んでいるため、多くのメニューが存在しており、多数のメニューが階層化により整理されているものの、あるユーザにとって利用頻度の高いメニューが深層にある場合もあり、この場合ユーザは、利用の度にスクロールキーなどを多数回押下することになるため、時間と手間がかかるという問題があった。
【０００６】
迅速に利用設定の変更や状態確認を行うには、前述したように、対応するメニュー番号を覚えておけばよいが、多機能化によって桁数の増えたメニュー番号を覚えておくのは、もはや困難な状況にある。
【０００７】
【発明が解決しようとする課題】
従来の移動無線端末装置では、迅速に利用設定の変更や状態確認を行うには、対応するメニュー番号を覚えておく必要があり、ユーザにとって過重な負担であるという問題があった。
【０００８】
この発明は上記の問題を解決すべくなされたもので、利用頻度の高い、利用設定の変更や状態確認については、メニュー番号を覚えていなくても、迅速かつ容易に行うことが可能な移動無線端末装置を提供することを目的とする。
【０００９】
【課題を解決するための手段】
上記の目的を達成するために、この発明は、種々の利用設定や当該移動無線端末装置の状態に関する情報を表示手段に項目毎に表示し、ユーザがこの表示を視認して項目の選択を行うことにより、利用設定の変更や状態の確認を行う移動無線端末装置において、ユーザが項目を選択した回数を項目毎に集計する集計手段と、項目毎に優先順序の指定を行う優先指定手段と、ユーザより項目の表示要求があった場合に、優先指定手段で指定された順序で項目を表示し、これに次いで優先指定手段で指定されていない項目を集計手段の集計結果に基づく順序で表示する表示制御手段とを具備して構成するようにした。
【００１０】
上記構成の移動無線端末装置では、ユーザより項目の表示要求があった場合に、指定された項目をその優先順序で優先的に表示し、これに次いでそれ以外の項目は過去にユーザが選択した回数の多い順序で表示するようにしている。
【００１１】
したがって、上記構成の移動無線端末装置によれば、指定された項目については確実に優先的に指定された順序で表示されるので、例えば、利用回数は少ないが、利用するときには急を要するような項目に迅速かつ容易に対応でき、そしてこれに次いで、それ以外の項目は利用回数の多いものから表示を行うので、項目を重複表示することもなく、項目に予め対応づけた番号を覚えていなくても、迅速かつ容易に、利用回数の多い項目を選択して、利用設定の変更や状態確認を行うことができる。
【００１２】
また、この発明では、表示制御手段が、優先指定手段で指定された項目が無い場合には、集計手段の集計結果に基づく順序で前記項目を表示することを特徴とする。
【００１３】
したがって、この発明によれば、指定された項目が無い場合には、利用回数に準じた順序で項目が表示されるので、項目に予め対応づけた番号を覚えていなくても、迅速かつ容易に、利用回数の多い項目を選択がすることができる。
【００１４】
【発明の実施の形態】
以下、図面を参照して、この発明の一実施形態について説明する。
図１はこの発明の一実施形態に係わる移動無線端末装置の構成を示すもので、図２は上記移動無線端末装置の外観図である。
【００１５】
移動無線端末装置は、アンテナ１０と、通信部２０と、表示部３０と、音声入出力部４０と、操作部５０と、記憶部６０と、制御部１００とを備えている。
図示しない基地局から無線通話チャネルを介して送られた無線周波信号は、アンテナ１０で受信されたのち通信部２０に入力される。
【００１６】
通信部２０は、上記無線周波信号を、内蔵する周波数シンセサイザにて生成した局部発振信号とミキシングすることにより、中間周波信号に周波数変換する。
なお、上記局部発振信号の周波数は、後述の制御部１００によって制御される。そして、通信部２０は、このようにして得た中間周波信号に復調処理を施した後、復号化処理を施し、制御部１００の指示に応じ自己宛ての信号を抽出する。
【００１７】
音声入出力部４０は、通信部２０にて復号化処理され抽出された信号をアナログ通話信号に変換した後、内蔵するスピーカ４１より拡声出力する。また、音声入出力部４０は、マイクロホン４２を備えており、このマイクロホン４２を通じて入力された送話音声を符号化処理し、この符号化処理結果を、搬送波信号を変調するのに用いる。そして、この変調処理結果は通信部２０に入力される。
【００１８】
通信部２０では、上記変調処理結果を前述の周波数シンセサイザで発生された送信局部発振信号とミキシングすることにより、制御部１００により指示された無線チャネル周波数の無線周波信号に周波数変換する。そして、この無線周波信号は、所定の送信電力レベルに増幅された後、アンテナ１０から基地局に向け送信される。
【００１９】
表示部３０は、液晶ディスプレイ（ＬＣＤ）３１を備え、自機の状態（各種モード設定状況や電波の受信状況）、時刻、着信先の電話番号などを表示するためのものである。
【００２０】
また、操作部５０は、テンキーやオンフックキー、オフフックキーなどの他に、スクロールキー５１、numberキー５２、ファンクション（Ｆ）キー５３、確定キー５４、メニューキー５５などの種々の機能キーを備えたもので、ユーザがデータ入力や各種モード設定登録を行なうためのものである。
【００２１】
記憶部６０は、例えばＲＯＭやＲＡＭなどの半導体メモリを記憶媒体としたもので、この記憶媒体には制御部１００の制御プログラムや、予めシステムより自機に割り当てられているＩＤデータ、各種設定情報などの種々制御データの他、短縮ダイヤルなどの着信先のダイヤルデータなどを記憶するもので、このほかに、メニューデータ記憶エリア６０ａを備える。
【００２２】
メニューデータ記憶エリア６０ａは、図３に示すように、当該移動無線端末装置が備える種々の機能についての表示データを、それぞれ予め割り当てられたメニュー番号順に記憶するエリアである。
そして、各メニュー番号には、各機能の名称や内容を示す「メニュー表示内容」と、後述する「使用回数」および「優先指定」の各情報が対応づけられており、これらの情報がメニューデータ記憶エリア６０ａに記憶される。
【００２３】
制御部１００は、例えばマイクロコンピュータを主制御部として備えたもので、通信を行なうために上述の各部を制御する通常の機能に加え、その他の制御機能として、優先メニュー指定制御手段１００ａと、選択メニューカウント手段１００ｂと、メニュー表示制御手段１００ｃとを備える。
【００２４】
優先メニュー指定制御手段１００ａは、メニューのうち、ユーザによって指定されたものに対して、ユーザが指定する優先順位を示す番号データを、そのメニュー番号に対応づけて、上記メニューデータ記憶エリア６０ａに記録する制御を行うものである。
【００２５】
選択メニューカウント手段１００ｂは、メニュー番号毎に、ユーザによって選択されたものの数をカウントして集計し、上記メニューデータ記憶エリア６０ａに記録する制御を行うものである。
【００２６】
メニュー表示制御手段１００ｃは、ユーザから、メニューの表示を行う要求があった場合に、上記メニューデータ記憶エリア６０ａに記憶される情報に基づいて、メニューの表示を行うものである。
【００２７】
次に、上記構成の移動無線端末装置のメニュー表示に係わる処理について説明する。この処理は、制御部１００によってなされ、待ち受け待機時に、繰り返し実行される。
【００２８】
まず、ステップ４ａでは、numberキー５２が押下されたか否か監視する。ここで、numberキー５２が押下された場合には、ステップ４ｂに移行し、一方、押下されない場合には、ステップ４ｃに移行する。
【００２９】
ステップ４ｂでは、優先メニュー指定制御手段１００ａにより、優先メニューの指定処理が行われる。ここで例えば、メニュー番号２１の「アラーム時刻設定」を１番の優先指定とする場合には、メニューキー５５、テンキーの「２」キー、「１」キー、numberキー５２、テンキーの「１」キーを、この順で押下する。
【００３０】
すると、この入力を優先メニュー指定制御手段１００ａが受け付け、図３に示すように、メニュー番号２１の「アラーム時刻設定」の優先指定のデータに「１」を記録し、当該処理を終了する。
【００３１】
一方、ステップ４ｃでは、Ｆキー５３が押下されたか否か監視する。ここで、Ｆキー５３が押下された場合には、ステップ４ｋに移行し、一方、押下されない場合には、ステップ４ｄに移行する。
【００３２】
ステップ４ｄでは、メニューキー５５が押下されたか否か監視する。ここで、メニューキー５５が押下された場合には、ステップ４ｅに移行し、一方、押下されない場合には、当該処理を終了する。
【００３３】
ステップ４ｅでは、メニュー表示制御手段１００ｃがメニューデータ記憶エリア６０ａに記憶される情報（図３参照）を参照し、優先指定が「１」のメニュー番号（図３では、メニュー番号２１）の「メニュー表示内容」を、液晶ディスプレイ３１に表示し、ステップ４ｆに移行する。この様子を、図５に示す。
【００３４】
なお、ここで、優先指定されたメニューがない場合には、最も使用回数の多いメニュー番号に対応する「メニュー表示内容」を、液晶ディスプレイ３１に表示する。
【００３５】
ステップ４ｆでは、スクロールキー５１の下方向が押下されたか否か監視する。ここで、スクロールキー５１が押下された場合には、ステップ４ｇに移行し、一方、押下されない場合には、ステップ４ｆにて、スクロールキー５１の下方向への押下を監視する。
【００３６】
ステップ４ｇでは、メニュー表示制御手段１００ｃがメニューデータ記憶エリア６０ａに記憶される情報（図３参照）を参照し、「メニュー表示内容」を液晶ディスプレイ３１に表示する処理を行い、ステップ４ｈに移行する。
【００３７】
この処理では、現在表示しているメニュー番号の次順の優先順位のメニュー番号の「メニュー表示内容」を、あるいは、次順の優先順位の指定が存在しない場合には、優先指定されたメニューを除くもののうち、最も使用回数の多いメニュー番号の「メニュー表示内容」を、あるいは優先指定がないものを表示している場合には、優先指定されたものを除いて、表示しているメニューに次いで使用回数の多いメニュー番号の「メニュー表示内容」を、液晶ディスプレイ３１に表示する。
【００３８】
したがって、例えば、メニューデータ記憶エリア６０ａに記憶される情報が、図３のようなものであった場合には、スクロールキー５１の操作に応じて、図７に示すような順序で表示を行う。なお、使用回数が同数のものについては、メニュー番号が若い方を上位とする。
【００３９】
このため、すでにメニュー番号２１の「メニュー表示内容」が液晶ディスプレイ３１に表示されていたとすると、次順としては、メニュー番号３１に対応する「メニュー表示内容」が液晶ディスプレイ３１に表示される。この様子を、図６に示す。
【００４０】
ステップ４ｈでは、現在液晶ディスプレイ３１に表示しているメニューに、確定するか否かを、確定キー５４の押下を監視することにより判断する。ここで、確定キー５４が押下された場合には、ステップ４ｉに移行し、一方、押下されない場合には、ステップ４ｆに再び移行して、スクロールキー５１の下方向への押下を監視する。
【００４１】
ステップ４ｉでは、選択メニューカウント手段１００ｂが、現在液晶ディスプレイ３１に表示しているメニューの使用回数の値に、１を加算し、ステップ４ｊに移行する。
ステップ４ｊでは、現在液晶ディスプレイ３１に表示しているメニューを実行する。
【００４２】
一方、ステップ４ｋでは、メニュー番号を受け付ける。例えば、メニュー番号２１を指定する場合には、ステップ４ｃにて押下されたＦキー５３に続き、テンキーの「２」キー、「１」キーを順に入力する。
【００４３】
ステップ４ｋにてメニュー番号の入力を受け付けると、ステップ４ｌに移行して、ここでメニュー表示制御手段１００ｃがメニューデータ記憶エリア６０ａに記憶される情報を参照し、受け付けた番号をメニュー番号とするメニューの「メニュー表示内容」を、液晶ディスプレイ３１に表示し、ステップ４ｈに移行する。
【００４４】
以上のように、上記構成の移動無線端末装置では、メニュー毎に、その使用回数をカウントしておき、次回、メニューの表示要求があった場合に、上記使用回数に基づく順序でメニューを表示するようにしている。
【００４５】
したがって、上記構成の移動無線端末装置によれば、メニューの表示要求を行うと、過去の利用回数の多い順序でメニューが表示されることになるため、利用頻度の高いメニュー番号を覚えていなくても、そのメニューを迅速かつ容易に表示させ選択することができる。
【００４６】
また、上記構成の移動無線端末装置では、ユーザによって任意に指定される優先メニューについては、過去の利用回数とは無関係に優先して表示するようにしているので、例えば、利用回数は少ないが、使用するときに急を要するようなメニューについて有効である。
【００４７】
尚、この発明は上記実施の形態に限定されるものではない。その他、この発明の要旨を逸脱しない範囲で種々の変形を施しても同様に実施可能であることはいうまでもない。
【００４８】
【発明の効果】
以上述べたように、この発明では、ユーザより項目の表示要求があった場合に、指定された項目をその優先順序で優先的に表示し、これに次いでそれ以外の項目は過去にユーザが選択した回数の多い順序で表示するようにしている。
【００４９】
したがって、この発明によれば、指定された項目については確実に優先的に指定された順序で表示されるので、例えば、利用回数は少ないが、利用するときには急を要するような項目に迅速かつ容易に対応でき、そしてこれに次いで、それ以外の項目は利用回数の多いものから表示を行うので、項目を重複表示することもなく、項目に予め対応づけた番号を覚えていなくても、迅速かつ容易に、利用回数の多い項目を選択して、利用設定の変更や状態確認を行うことが可能な移動無線端末装置を提供できる。
【図面の簡単な説明】
【図１】この発明に係わる移動無線端末装置の一実施の形態の構成を示す回路ブロック図。
【図２】図１に示した移動無線端末装置の外観の一例を示す図。
【図３】図１に示した移動無線端末装置のメニューデータ記憶エリア６０ａに記憶される情報を説明するための図。
【図４】図１に示した移動無線端末装置のメニュー表示に係わる動作を説明するためのフローチャート。
【図５】図１に示した移動無線端末装置の液晶ディスプレイの表示例を示す図。
【図６】図１に示した移動無線端末装置の液晶ディスプレイの表示例を示す図。
【図７】図１に示した移動無線端末装置にてメニュー表示を行なった場合の表示順序を説明するための図。
【符号の説明】
１０…アンテナ
２０…通信部
３０…表示部
３１…液晶ディスプレイ
４０…音声入出力部
４１…スピーカ
４２…マイクロホン
５０…操作部
５１…スクロールキー
５２…numberキー
５３…ファンクションキー
５４…確定キー
５５…メニューキー
６０…記憶部
６０ａ…メニューデータ記憶エリア
１００…制御部
１００ａ…選択メニューカウント手段
１００ｂ…優先指定制御手段
１００ｃ…メニュー表示制御手段
【図１】
0004149607.tif 000002
【図２】
0004149607.tif 000003
【図３】
0004149607.tif 000004
【図４】
0004149607.tif 000005
【図５】
0004149607.tif 000006
【図６】
0004149607.tif 000007
【図７】
0004149607.tif 000008